(57)【要約】      （修正有）【課題】打球面部材に反発弾力が生じるゴルフクラブヘッドを提供する。【解決手段】ゴルフクラブヘッドは本体１０、打球面部材２０および弾性部材４０を備える。本体は打球面接合部１１および弾性体当接部１２を有する。打球面部材は本体接合部２１、打球面２２および弾性体当接部を有する。打球面部材の本体接合部は本体の打球面接合部と結合する。打球面部材の弾性体当接部は打球面の内側面に位置付けられる。弾性部材は本体の弾性体当接部および打球面部材の弾性体当接部の間に配置される。【選択図】図２
0003227349.tif 000002
【実用新案登録請求の範囲】
【請求項１】
本体（１０）、打球面部材（２０）および弾性部材（４０）を備え、
前記本体（１０）は打球面接合部（１１）および弾性体当接部（１２）を有し、
前記打球面部材（２０）は本体接合部（２１）、打球面（２２）および弾性体当接部（２４）を有し、前記本体接合部（２１）は前記本体（１０）の前記打球面接合部（１１）と結合し、前記弾性体当接部（２４）は前記打球面（２２）の内側面に位置付けられ、
前記弾性部材（４０）は前記本体（１０）の前記弾性体当接部（１２）および前記打球面部材（２０）の前記弾性体当接部（２４）の間に配置されることを特徴とする、
打球面部材に反発弾力が生じるゴルフクラブヘッド。
【請求項２】
前記本体（１０）は前記弾性部材（４０）の固定に用いる位置決め部（１３）を有することを特徴とする請求項１に記載の打球面部材に反発弾力が生じるゴルフクラブヘッド。
【請求項３】
前記打球面部材（２０）の前記弾性体当接部（２４）は凸状部であることを特徴とする請求項１に記載の打球面部材に反発弾力が生じるゴルフクラブヘッド。
【請求項４】
前記打球面部材（２０）の前記本体接合部（２１）はカップ状または皿状であることを特徴とする請求項１に記載の打球面部材に反発弾力が生じるゴルフクラブヘッド。
【請求項５】
前記本体（１０）の前記打球面接合部（１１）は周壁を有する凹状部であることを特徴とする請求項１に記載の打球面部材に反発弾力が生じるゴルフクラブヘッド。
【請求項６】
本体（１０）、打球面部材（２０）、支持部材（３０）および弾性部材（４０）を備え、
前記本体（１０）は打球面接合部（１１）を有し、
前記打球面部材（２０）は本体接合部（２１）、打球面（２２）、支持体接合部（２３）および弾性体当接部（２４）を有し、前記本体接合部（２１）は前記本体（１０）の前記打球面接合部（１１）と結合し、前記弾性体当接部（２４）は前記打球面（２２）の内側面に位置付けられ、
前記支持部材（３０）は打球面接合部（３１）および弾性体当接部（３２）を有し、前記打球面接合部（３１）は前記打球面部材（２０）の前記支持体接合部（２３）と結合し、
前記弾性部材（４０）は前記支持部材（３０）の前記弾性体当接部（３２）および前記打球面部材（２０）の前記弾性体当接部（２４）の間に配置されることを特徴とする、
打球面部材に反発弾力が生じるゴルフクラブヘッド。
【請求項７】
前記支持部材（３０）は前記弾性部材（４０）の固定に用いる位置決め部（３３）を有することを特徴とする請求項６に記載の打球面部材に反発弾力が生じるゴルフクラブヘッド。
【請求項８】
前記打球面部材（２０）の前記弾性体当接部（２４）は凸状部であることを特徴とする請求項６に記載の打球面部材に反発弾力が生じるゴルフクラブヘッド。
【請求項９】
前記打球面部材（２０）の前記本体接合部（２１）はカップ状または皿状であることを特徴とする請求項６に記載の打球面部材に反発弾力が生じるゴルフクラブヘッド。
【請求項１０】
前記支持部材（３０）の前記打球面接合部（３１）は周壁を有する凹状部であることを特徴とする請求項６に記載の打球面部材に反発弾力が生じるゴルフクラブヘッド。
【考案の詳細な説明】
【技術分野】
【０００１】
本考案はゴルフクラブヘッドに関し、詳しくは打撃力を増大させるゴルフクラブヘッドに関するものである。
【背景技術】
【０００２】
従来のゴルフクラブヘッドは打球面部材が変形し、跳ね返ることによってボールに反発力を生じる。さらにボールを遠く飛ばすために、打球面部材の構造を変えるか、打球面部材の厚さを増大させることによって弾力を高めることができる。しかしこの場合、かえって打球面部材は構造が複雑になるか、全体の重量が増大して大きくなるか、跳ね返る効果が限られる。このため、改善の余地がある。
【考案の概要】
【考案が解決しようとする課題】
【０００３】
本考案は、上述した欠点に鑑み、打球面部材に反発弾力が生じるゴルフクラブヘッドを提供することを主な目的とする。打球面部材に反発弾力が生じるゴルフクラブヘッドは弾性部材が打球面部材に反発することによってボールに加わる打撃力を増大させる。
【課題を解決するための手段】
【０００４】
上述した課題を解決するため、打球面部材に反発弾力が生じるゴルフクラブヘッドは、本体、打球面部材および弾性部材を備える。本体は打球面接合部および弾性体当接部を有する。打球面部材は本体接合部、打球面および弾性体当接部を有する。打球面部材の本体接合部は本体の打球面接合部と結合する。打球面部材の弾性体当接部は打球面の内側面に位置付けられる。弾性部材は本体の弾性体当接部および打球面部材の弾性体当接部の間に配置される。
【０００５】
ボールを打つ際、打球面部材によって弾性部材を圧縮すると、弾性部材は跳ね返る弾力によって打球面部材に反発し、ボールに加わる打撃力を増大させる。これによって、本考案の目的を達成することができる。
【０００６】
比較的好ましい場合、本体は弾性部材の固定に用いる位置決め部を有する。
【０００７】
比較的好ましい場合、打球面部材は弾性体当接部が凸状部であるため、厚みが比較的大きい。
【０００８】
比較的好ましい場合、打球面部材の本体接合部はカップ状または皿状である。
【０００９】
比較的好ましい場合、本体の打球面接合部は周壁を有する凹状部である。
【００１０】
上述した課題を解決するため、別の一つの、打球面部材に反発弾力が生じるゴルフクラブヘッドは、本体、打球面部材、支持部材および弾性部材を備える。本体は打球面接合部を有する。打球面部材は本体接合部、打球面、支持体接合部および弾性体当接部を有する。打球面部材の本体接合部は本体の打球面接合部と結合する。打球面部材の弾性体当接部は打球面の内側面に位置付けられる。支持部材は打球面接合部および弾性体当接部を有する。支持部材の打球面接合部は打球面部材の支持体接合部と結合する。弾性部材は支持部材の弾性体当接部および打球面部材の弾性体当接部の間に配置される。
【００１１】
ボールを打つ際、打球面部材によって弾性部材を圧縮すると、弾性部材は跳ね返る弾力によって打球面部材に反発し、ボールに加わる打撃力を増大させる。これによって、本考案の目的を達成することができる。
【００１２】
比較的好ましい場合、支持部材は弾性部材の固定に用いる位置決め部を有する。
【００１３】
比較的好ましい場合、打球面部材は弾性体当接部が凸状部であるため、厚みが比較的大きい。
【００１４】
比較的好ましい場合、打球面部材の本体接合部はカップ状または皿状である。
【００１５】
比較的好ましい場合、支持部材の打球面接合部は周壁を有する凹状部である。
【図面の簡単な説明】
【００１６】
【図１】本考案の一実施形態を示す斜視図である。
【図２】本考案の一実施形態を示す分解斜視図である。
【図３】図１中の３−３線に沿った断面図である。
【図４】本考案の一実施形態においての打球面部材の内側面を示す正面図である。
【図５】図４中の５−５線に沿った断面図である。
【図６】本考案の別の一実施形態を示す斜視図である。
【図７】本考案の別の一実施形態を示す分解斜視図である。
【図８】図６中の８−８線に沿った断面図である。
【図９】本考案の別の一実施形態を示す斜視図である。
【図１０】本考案の別の一実施形態を示す分解斜視図である。
【図１１】図９中の１１−１１線に沿った断面図である。
【考案を実施するための形態】
【００１７】
以下、本考案による打球面部材に反発弾力が生じるゴルフクラブヘッドを図面に基づいて説明する。
【００１８】
（一実施形態）
図１から図５に示すように、本考案の一実施形態による打球面部材に反発弾力が生じるゴルフクラブヘッドは、本体１０、打球面部材２０および複数の弾性部材４０を備える。
【００１９】
本体１０は、打球面接合部１１、弾性体当接部１２および複数の位置決め部１３を有する。弾性体当接部１２は打球面接合部１１に位置付けられる。複数の位置決め部１３は弾性体当接部１２に形成される。
【００２０】
複数の位置決め部１３は凹状部である。
【００２１】
ボールを打つための、打球面部材２０は、本体接合部２１、打球面２２および弾性体当接部２４を有する。打球面部材２０において、本体接合部２１は本体１０の打球面接合部１１と結合する。打球面２２は本体接合部２１に位置付けられる。弾性体当接部２４は打球面２２の内側面に位置付けられる。
【００２２】
本実施形態において、打球面部材２０の本体接合部２１はカップ状である。
【００２３】
本実施形態において、打球面部材２０は弾性体当接部２４が凸状部であるため、厚みが比較的大きい。
【００２４】
複数の弾性部材４０は、本体１０の弾性体当接部１２および打球面部材２０の弾性体当接部２４の間に配置されると同時に本体１０の弾性体当接部１２および打球面部材２０の弾性体当接部２４に当接する。
【００２５】
複数の弾性部材４０は本体１０の複数の位置決め部１３によって固定される。
【００２６】
本実施形態において、弾性部材４０は数が五つであり、十字型に配列されるが、これに限定されない。
【００２７】
本実施形態において、弾性部材４０はスプリングである。
【００２８】
ボールを打つ際、打球面部材２０によって弾性部材４０を圧縮すれば、弾性部材４０は跳ね返る弾力によって打球面部材２０に反発し、ボールに加わる打撃力を増大させることができる。
【００２９】
（別の一実施形態）
図６から図８に示すように、本考案の別の一実施形態による打球面部材に反発弾力が生じるゴルフクラブヘッドは、本体１０、打球面部材２０および複数の弾性部材４０を備える。
【００３０】
本体１０は、打球面接合部１１、弾性体当接部１２および複数の位置決め部１３を有する。弾性体当接部１２は打球面接合部１１に位置付けられる。複数の位置決め部１３は弾性体当接部１２に形成される。
【００３１】
本体１０の打球面接合部１１は周壁を有する凹状部である。
【００３２】
複数の位置決め部１３は凹状部である。
【００３３】
打球面部材２０は、本体接合部２１、打球面２２および弾性体当接部２４を有する。打球面部材２０において、本体接合部２１は本体１０の打球面接合部１１と結合する。打球面２２は本体接合部２１に位置付けられる。弾性体当接部２４は打球面２２の内側面に位置付けられる。
【００３４】
本実施形態において、打球面部材２０の本体接合部２１はカップ状でなく、打球面２２と一体の皿状である。
【００３５】
本実施形態において、打球面部材２０は弾性体当接部２４が平坦状であるため、厚みが一致する。
【００３６】
複数の弾性部材４０は、本体１０の弾性体当接部１２および打球面部材２０の弾性体当接部２４の間に配置されると同時に本体１０の弾性体当接部１２および打球面部材２０の弾性体当接部２４に当接する。
【００３７】
複数の弾性部材４０は本体１０の複数の位置決め部１３によって固定される。
【００３８】
ボールを打つ際、打球面部材２０によって弾性部材４０を圧縮すれば、弾性部材４０は跳ね返る弾力によって打球面部材２０に反発し、ボールに加わる打撃力を増大させることができる。
【００３９】
（別の一つの実施形態）
図９から図１１に示すように、本考案の別の一つの実施形態による打球面部材に反発弾力が生じるゴルフクラブヘッドは、本体１０、打球面部材２０、支持部材３０および弾性部材４０を備える。
【００４０】
本体１０は打球面接合部１１を有する。
【００４１】
打球面部材２０は本体接合部２１、打球面２２、支持体接合部２３および弾性体当接部２４を有する。打球面部材２０において、本体接合部２１は本体１０の打球面接合部１１と結合する。打球面２２は本体接合部２１に位置付けられる。弾性体当接部２４は打球面２２の内側面に位置付けられる。
【００４２】
本実施形態において、打球面部材２０の本体接合部２１はカップ状である。
【００４３】
本実施形態において、打球面部材２０は弾性体当接部２４が凸状部であるため、厚みが比較的大きい。
【００４４】
支持部材３０は打球面接合部３１、弾性体当接部３２および複数の位置決め部３３を有する。支持部材３０において、打球面接合部３１は打球面部材２０の支持体接合部２３と結合する。弾性体当接部３２は打球面接合部３１に位置付けられる。複数の位置決め部３３は弾性体当接部３２に形成される。
【００４５】
本実施形態において、支持部材３０の打球面接合部３１は壁面を有する凹状部である。
【００４６】
複数の弾性部材４０は、支持部材３０の弾性体当接部３２および打球面部材２０の弾性体当接部２４の間に配置されると同時に支持部材３０の弾性体当接部３２および打球面部材２０の弾性体当接部２４に当接する。
【００４７】
複数の弾性部材４０は支持部材３０の複数の位置決め部３３によって固定される。
【００４８】
ボールを打つ際、打球面部材２０によって弾性部材４０を圧縮すれば、弾性部材４０は跳ね返る弾力によって打球面部材２０に反発し、ボールに加わる打撃力を増大させることができる。
【００４９】
本考案は、上記実施形態になんら限定されるものではなく、発明の趣旨を逸脱しない範囲において下記の形態でも実施可能である。
【００５０】
本体１０は単一部品からなる部材でも、二つまたは二つ以上の部品からなる部材でもよい。
【００５１】
弾性部材４０はスプリングのほかに片状弾性体または弾性パッドから構成されてもよい。
【００５２】
本体１０の位置決め部１３は凹状部であるとは限らず、凸状になっても位置決め効果を生じることができる。
【００５３】
支持部材３０の位置決め部３３は凹状部であるとは限らず、凸状になっても位置決め効果を生じることができる。
【００５４】
打球面部材２０は本体１０の位置決め部１３および支持部材３０の位置決め部３３に類似した構造があってもよい。
【００５５】
上述をまとめると、本考案による打球面部材に反発弾力が生じるゴルフクラブヘッドは、打球面部材２０が弾性部材４０を圧縮すると、弾性部材４０が跳ね返る弾力によって打球面部材２０に反発するため、ボールに加わる打撃力を増大させることができる。これによって、本考案の目的を達成することができる。
【符号の説明】
【００５６】
１０  本体
１１  打球面接合部
１２  弾性体当接部
１３  位置決め部
２０  打球面部材
２１  本体接合部
２２  打球面
２３  接合部
２４  弾性体当接部
３０  支持部材
３１  結合部
３２  弾性体当接部
３３  位置決め部
４０  弾性部材
【図１】
0003227349.tif 000003
【図２】
0003227349.tif 000004
【図３】
0003227349.tif 000005
【図４】
0003227349.tif 000006
【図５】
0003227349.tif 000007
【図６】
0003227349.tif 000008
【図７】
0003227349.tif 000009
【図８】
0003227349.tif 000010
【図９】
0003227349.tif 000011
【図１０】
0003227349.tif 000012
【図１１】
0003227349.tif 000013